(57)【特許請求の範囲】
【請求項１】
アニオン分析システム、カチオン分析システムのいずれにおいて
（Ａ）溶離液用電解質溶液生成手段として
（ａ１）陽または陰イオンのいずれかの生成対象イオンは透過するが液体を通しにくいイオン交換膜Ａを挟んで上面に、生成対象イオンと同極性（以下、「同極性」・「反対極性」は生成対象イオンの有する電気的極性を基準とする）イオンを吸着するイオン交換体ＡＡを接して設け、一方に電解質原料溶液の投入口を設け、他方の口に残余溶液の出口を設け、
出口に耐久性を付与したイオン交換体を介して電極を備える
電解質原料溶液から生成対象イオンを取り込み、残余の反対極性イオンを除去する手段
（ａ２−１）前記イオン交換膜Ａの下面に接して、前記イオン交換膜Ａと同極性のイオン交換膜を積層し、
積層部分（Ｂ）の外径を小さくして容器の内壁と積層部分の周囲に空間を設け、
積層部分（Ｂ）の下面に接して反対極性を有するイオン交換体Ｃ層を順に重ね、さらに同極性のイオンを透過するが液体を通しにくいイオン交換膜Ｄを接して配し、
または
（ａ２−２）前記イオン交換膜Ａの下面に接して、前記イオン交換膜Ａと同極性のイオン交換体を積層し、
積層部分（Ｂ）の下面に接して反対極性を有するイオン交換体Ｃ層を順に重ね、さらに同極性のイオンを透過するが液体を通しにくいイオン交換膜Ｄを接して配し、
（ａ３−１）前記イオン交換体Ｃ層の一方の端から純水を投入し、前記イオン交換膜またはイオン交換体Ｂ層の他方の端から生成対象イオンの塩基または酸性電解質溶液を排出する出口を備え、
または
（ａ３−２）前記イオン交換膜またはイオン交換体Ｂ層の一方の端から純水を投入し、前記イオン交換体Ｃ層の他方の端から生成対象イオンの塩基または酸性電解質溶液を排出する出口を備え、
（ａ４）前記イオン交換膜Ｄを挟んで外面に同極性イオンを吸着するイオン交換体ＤＤを設け、純水または検出器からの戻り水を導入する入口を一方に設け、イオン交換体ＤＤに通して排出する出口を他方に設け、
出口に耐久性を付与したイオン交換体を介して電極を備え、
前記電極に接続する外部電流源とを備える
電極面から発生する気泡を排出促進し、さらに前記純水または検出器からの戻り水に含まれた検出イオン（反対極性イオン）の前記イオン交換膜Ｄの内側への拡散混入を防止し、電極付近のイオン濃度を拡散させる手段
を備える高純度電解質溶液生成装置
を有し、
（Ｂ）前記（Ａ）で生成された電解質溶液を精製する手段として
（ｘ１）除去対象不純物イオンを吸着するイオン交換体Ａ１層を挟んで
一方の電極Ｃ１（不純物イオンの極性と同極）側に陽または陰イオンのいずれかの不純物イオンは透過するが液体を通しにくい耐久性を付与したイオン交換膜Ｂ１（不純物イオンを吸着しないイオン交換膜）、イオン交換体Ａ４層（不純物イオンを吸着しないイオン交換体）、耐久性を付与したイオン交換体Ａ５層を介して電極Ｃ１、
他方の電極Ｃ２（不純物イオンの極性と対極）側に陽または陰イオンのいずれかの不純物イオンは透過するが液体を通しにくい耐久性を付与したイオン交換膜Ｂ２（不純物イオンを吸着するイオン交換膜）、イオン交換体Ａ２層（不純物イオンを吸着するイオン交換体）、耐久性を付与したイオン交換体Ａ３層を介して電極Ｃ２
を備え、
（ｘ２）前記イオン交換体Ａ１層の上端部に原料溶液の導入口をつけ、下端部に精製溶液の排出口を導入口の真下から外れた位置に設け、導入口はイオン交換膜Ｂ２側に、排出口はイオン交換膜Ｂ１側にそれぞれ設け、
前記両電極の外側に排出口を設け、
前記イオン交換体Ａ２層、Ａ４層の上端部に純水の供給口が設けられ
（ｘ３）前記両電極につなぐ外部電流源と、
を備える電解質溶液精製装置
を有し、
（Ｃ）分離カラムに注入した検査対象イオンを溶出させた後、検査対象イオンと反対の電荷を有するイオンを除去する手段として
（ｘｓ１）除去対象不純物イオンを吸着するイオン交換体ＡＳ１層を挟んで一方の電極ＣＳ１（不純物イオンの極性と同極）側に陽または陰イオンのいずれかの不純物イオンは透過するが液体を通しにくい耐久性を付与したイオン交換膜ＢＳ１（不純物イオンを吸着しないイオン交換膜）、イオン交換体ＡＳ４層（不純物イオンを吸着しないイオン交換体）、耐久性を付与したイオン交換体ＡＳ５層を介して電極ＣＳ１、他方の電極ＣＳ２（不純物イオンの極性と対極）側に陽または陰イオンのいずれかの不純物イオンは透過するが液体を通しにくい耐久性を付与したイオン交換膜ＢＳ２（不純物イオンを吸着するイオン交換膜）、イオン交換体ＡＳ２層（不純物イオンを吸着するイオン交換体）、耐久性を付与したイオン交換体ＡＳ３層を介して電極ＣＳ２
を備え、
（ｘｓ２）前記イオン交換体ＡＳ１層の上端部に原料溶液の導入口をつけ、下端部に精製溶液の排出口を導入口の真下から外れた位置に設け、導入口はイオン交換膜ＢＳ２側に、排出口はイオン交換膜ＢＳ１側にそれぞれ設け、
前記両電極の外側に排出口を設け、
前記イオン交換体ＡＳ２層、ＡＳ４層の上端部に純水の供給口が設けられ
（ｘｓ３）前記両電極につなぐ外部電流源と、
を備える不純物イオン除去装置
を有し、
（Ｄ）検査目的成分を検出する手段として、
絶縁材でなるチューブの外面に導電性の材料でなる印加電極および検出電極を間隙をあけて設け、当該間隙部分の中央部より各電極を含む外側全体に電磁遮蔽部を設け、印加電極に交流電圧をかけ、チューブの中を通る溶液中の検査目的成分をインピーダンスの変化でとらえる非接触型インピーダンスモニター
を備えたイオンクロマトグラフ。
【請求項２】
アニオン分析システムにおいて
（Ａ）溶離液用電解質溶液生成手段として
（ａ１）生成対象イオン（陽イオン）は透過するが陰イオン及び液体を通しにくいイオン交換膜Ａを挟んで上面に、生成対象イオンと同極性（以下、「同極性」・「反対極性」は生成対象イオンの有する電気的極性を基準とする）イオンを吸着するイオン交換体ＡＡを接して設け、一方に電解質原料溶液の投入口を設け、他方の口に残余溶液の出口を設け、
出口に耐久性を付与したイオン交換体を介して電極を備える
電解質原料溶液から生成対象イオンを取り込み、残余の反対極性イオンを除去する手段
（ａ２−１）前記イオン交換膜Ａの下面に接して、前記イオン交換膜Ａと同極性のイオン交換膜を積層し、
積層部分（Ｂ）の外径を小さくして容器の内壁と積層部分の周囲に空間を設け、
積層部分（Ｂ）の下面に接して反対極性を有するイオン交換体Ｃ層を順に重ね、さらに同極性のイオンを透過するが陰イオン及び液体を通しにくいイオン交換膜Ｄを接して配し、
または
（ａ２−２）前記イオン交換膜Ａの下面に接して、前記イオン交換膜Ａと同極性のイオン交換体を積層し、
積層部分（Ｂ）の下面に接して反対極性を有するイオン交換体Ｃ層を順に重ね、さらに同極性のイオンを透過するが陰イオン及び液体を通しにくいイオン交換膜Ｄを接して配し、
（ａ３−１）前記イオン交換体Ｃ層の一方の端から純水を投入し、前記イオン交換膜またはイオン交換体Ｂ層の他方の端から生成対象イオンの塩基性電解質溶液を排出する出口を備え、
または
（ａ３−２）前記イオン交換膜またはイオン交換体Ｂ層の一方の端から純水を投入し、前記イオン交換体Ｃ層の他方の端から生成対象イオンの塩基性電解質溶液を排出する出口を備え、
（ａ４）前記イオン交換膜Ｄおよびこれに取り付けた電極の外面に接して純水または検出器からの戻り水を通す導入部を設け、
前記電極に接続する外部電流源とを備える
電極面から発生する気泡を排出促進し、さらに前記純水または検出器からの戻り水に含まれた検出イオン（陰イオン）の前記イオン交換膜Ｄの内側への拡散混入を防止させる手段
を備える高純度塩基性電解質溶液生成装置
を有し、
（Ｂ）前記（Ａ）で生成された電解質溶液を精製する手段として
（ｘ１）除去対象不純物イオン（陰イオン）を吸着するイオン交換体Ａ１層を挟んで
一方の電極Ｃ１（陰イオンの極性と同極）側に陽イオンは透過するが陰イオン及び液体を通しにくい耐久性を付与したイオン交換膜Ｂ１（陰イオンを吸着しないイオン交換膜）、イオン交換体Ａ４層（陰イオンを吸着しないイオン交換体）、耐久性を付与したイオン交換体Ａ５層を介して電極Ｃ１、
他方の電極Ｃ２（陰イオンの極性と対極）側に陰イオンは透過するが陽イオン及び液体を通しにくい耐久性を付与したイオン交換膜Ｂ２（陰イオンを吸着するイオン交換膜）、イオン交換体Ａ２層（陰イオンを吸着するイオン交換体）、耐久性を付与したイオン交換体Ａ３層を介して電極Ｃ２
を備え、
（ｘ２）前記イオン交換体Ａ１層の上端部に原料溶液の導入口をつけ、下端部に精製溶液の排出口を導入口の真下から外れた位置に設け、導入口はイオン交換膜Ｂ２側に、排出口はイオン交換膜Ｂ１側にそれぞれ設け、
前記両電極の外側に排出口を設け、
前記イオン交換体Ａ２層、Ａ４層の上端部に純水の供給口が設けられ
（ｘ３）前記両電極につなぐ外部電流源と、
を備える塩基性電解質溶液精製装置
を有し、
（Ｃ）分離カラムに注入した検査対象イオンを溶出させた後、検査対象イオン（陰イオン）と反対の電荷を有する陽イオンを除去する手段として
（ｘｓ１）除去対象不純物イオン（陽イオン）を吸着するイオン交換体ＡＳ１層を挟んで一方の電極ＣＳ１（陽イオンの極性と同極）側に陰イオンは透過するが陽イオン及び液体を通しにくい耐久性を付与したイオン交換膜ＢＳ１（陽イオンを吸着しないイオン交換膜）、イオン交換体ＡＳ４層（陽イオンを吸着しないイオン交換体）、耐久性を付与したイオン交換体ＡＳ５層を介して電極ＣＳ１、
他方の電極ＣＳ２（陽イオンの極性と対極）側に陽イオンは透過するが陰イオン及び液体を通しにくい耐久性を付与したイオン交換膜ＢＳ２（陽イオンを吸着するイオン交換膜）、イオン交換体ＡＳ２層（陽イオンを吸着するイオン交換体）、耐久性を付与したイオン交換体ＡＳ３層を介して電極ＣＳ２
を備え、
（ｘｓ２）前記イオン交換体ＡＳ１層の上端部に原料溶液の導入口をつけ、下端部に精製溶液の排出口を導入口の真下から外れた位置に設け、導入口はイオン交換膜ＢＳ２側に、排出口はイオン交換膜ＢＳ１側にそれぞれ設け、
前記両電極の外側に排出口を設け、
前記イオン交換体ＡＳ２層、ＡＳ４層の上端部に純水の供給口が設けられ
（ｘｓ３）前記両電極につなぐ外部電流源と、
を備える陽イオン除去用不純物イオン除去装置
を有し、
（Ｄ）検査目的成分を検出する手段として、
絶縁材でなるチューブの外面に導電性の材料でなる印加電極および検出電極を間隙をあけて設け、当該間隙部分の中央部より各電極を含む外側全体に電磁遮蔽部を設け、印加電極に交流電圧をかけ、チューブの中を通る溶液中の検査目的成分をインピーダンスの変化でとらえる非接触型インピーダンスモニター
を備えたイオンクロマトグラフ。
【請求項３】
アニオン分析システムにおいて
（Ａ）溶離液用電解質溶液生成手段として
（ａ１）生成対象イオン（陽イオン）は透過するが陰イオン及び液体を通しにくいイオン交換膜Ａを挟んで上面に、生成対象イオンと同極性（以下、「同極性」・「反対極性」は生成対象イオンの有する電気的極性を基準とする）イオンを吸着するイオン交換体ＡＡを接して設け、一方に電解質原料溶液の投入口を設け、他方の口に残余溶液の出口を設け、
出口に耐久性を付与したイオン交換体を介して電極を備える
電解質原料溶液から生成対象イオンを取り込み、残余の反対極性イオンを除去する手段
（ａ２−１）前記イオン交換膜Ａの下面に接して、前記イオン交換膜Ａと同極性のイオン交換膜を積層し、
積層部分（Ｂ）の外径を小さくして容器の内壁と積層部分の周囲に空間を設け、
積層部分（Ｂ）の下面に接して反対極性を有するイオン交換体Ｃ層を順に重ね、さらに同極性のイオンを透過するが陰イオン及び液体を通しにくいイオン交換膜Ｄを接して配し、
または
（ａ２−２）前記イオン交換膜Ａの下面に接して、前記イオン交換膜Ａと同極性のイオン交換体を積層し、
積層部分（Ｂ）の下面に接して反対極性を有するイオン交換体Ｃ層を順に重ね、さらに同極性のイオンを透過するが陰イオン及び液体を通しにくいイオン交換膜Ｄを接して配し、
（ａ３−１）前記イオン交換体Ｃ層の一方の端から純水を投入し、前記イオン交換膜またはイオン交換体Ｂ層の他方の端から生成対象イオンの塩基性電解質溶液を排出する出口を備え、
または
（ａ３−２）前記イオン交換膜またはイオン交換体Ｂ層の一方の端から純水を投入し、前記イオン交換体Ｃ層の他方の端から生成対象イオンの塩基性電解質溶液を排出する出口を備え、
（ａ４）前記イオン交換膜Ｄを挟んで外面に同極性イオンを吸着するイオン交換体ＤＤを設け、純水または検出器からの戻り水を導入する入口を一方に設け、イオン交換体ＤＤに通して排出する出口を他方に設け、
出口に耐久性を付与したイオン交換体を介して電極を備え、
前記電極に接続する外部電流源とを備える
電極面から発生する気泡を排出促進し、さらに前記純水または検出器からの戻り水に含まれた検出イオン（陰イオン）の前記イオン交換膜Ｄの内側への拡散混入を防止し、電極付近のイオン濃度を拡散させる手段
を備える高純度塩基性電解質溶液生成装置
を有し、
（Ｂ）前記（Ａ）で生成された電解質溶液を精製する手段として
（ｘ１）除去対象不純物イオン（陰イオン）を吸着するイオン交換体Ａ１層を挟んで
一方の電極Ｃ１（陰イオンの極性と同極）側に陽イオンは透過するが陰イオン及び液体を通しにくい耐久性を付与したイオン交換膜Ｂ１（陰イオンを吸着しないイオン交換膜）を介して電極Ｃ１、
他方の電極Ｃ２（陰イオンの極性と対極）側に陰イオンは透過するが陽イオン及び液体を通しにくい耐久性を付与したイオン交換膜Ｂ２（陰イオンを吸着するイオン交換膜）、イオン交換体Ａ２層（陰イオンを吸着するイオン交換体）、耐久性を付与したイオン交換体Ａ３層を介して電極Ｃ２
を備え、
（ｘ２）前記イオン交換体Ａ１層の上端部に原料溶液の導入口をつけ、下端部に精製溶液の排出口を導入口の真下から外れた位置に設け、導入口はイオン交換膜Ｂ２側に、排出口はイオン交換膜Ｂ１側にそれぞれ設け、
前記両電極の外側に排出口を設け、電極Ｃ１側には純水の供給口が併設され、        前記イオン交換体Ａ２層の上端部に純水の供給口が設けられ
（ｘ３）前記両電極につなぐ外部電流源と、
を備える塩基性電解質溶液精製装置
を有し、
（Ｃ）分離カラムに注入した検査対象イオンを溶出させた後、検査対象イオン（陰イオン）と反対の電荷を有する陽イオンを除去する手段として
（ｘｓ１）除去対象不純物イオン（陽イオン）を吸着するイオン交換体ＡＳ１層を挟んで一方の電極ＣＳ１（陽イオンの極性と同極）側に陰イオンは透過するが陽イオン及び液体を通しにくい耐久性を付与したイオン交換膜ＢＳ１（陽イオンを吸着しないイオン交換膜）、イオン交換体ＡＳ４層（陽イオンを吸着しないイオン交換体）、耐久性を付与したイオン交換体ＡＳ５層を介して電極ＣＳ１、
他方の電極ＣＳ２（陽イオンの極性と対極）側に陽イオンは透過するが陰イオン及び液体を通しにくい耐久性を付与したイオン交換膜ＢＳ２（陽イオンを吸着するイオン交換膜）、イオン交換体ＡＳ２層（陽イオンを吸着するイオン交換体）、耐久性を付与したイオン交換体ＡＳ３層を介して電極ＣＳ２
を備え、
（ｘｓ２）前記イオン交換体ＡＳ１層の上端部に原料溶液の導入口をつけ、下端部に精製溶液の排出口を導入口の真下から外れた位置に設け、導入口はイオン交換膜ＢＳ２側に、排出口はイオン交換膜ＢＳ１側にそれぞれ設け、
前記両電極の外側に排出口を設け、
前記イオン交換体ＡＳ２層、ＡＳ４層の上端部に純水の供給口が設けられ
（ｘｓ３）前記両電極につなぐ外部電流源と、
を備える陽イオン除去用不純物イオン除去装置
を有し、
（Ｄ）検査目的成分を検出する手段として、
絶縁材でなるチューブの外面に導電性の材料でなる印加電極および検出電極を間隙をあけて設け、当該間隙部分の中央部より各電極を含む外側全体に電磁遮蔽部を設け、印加電極に交流電圧をかけ、チューブの中を通る溶液中の検査目的成分をインピーダンスの変化でとらえる非接触型インピーダンスモニター
を備えたイオンクロマトグラフ。
【請求項４】
アニオン分析システムにおいて
（Ａ）溶離液用電解質溶液生成手段として
（ａ１）生成対象イオン（陽イオン）は透過するが陰イオン及び液体を通しにくいイオン交換膜Ａを挟んで上面に、生成対象イオンと同極性（以下、「同極性」・「反対極性」は生成対象イオンの有する電気的極性を基準とする）イオンを吸着するイオン交換体ＡＡを接して設け、一方に電解質原料溶液の投入口を設け、他方の口に残余溶液の出口を設け、
出口に耐久性を付与したイオン交換体を介して電極を備える
電解質原料溶液から生成対象イオンを取り込み、残余の反対極性イオンを除去する手段
（ａ２−１）前記イオン交換膜Ａの下面に接して、前記イオン交換膜Ａと同極性のイオン交換膜を積層し、
積層部分（Ｂ）の外径を小さくして容器の内壁と積層部分の周囲に空間を設け、
積層部分（Ｂ）の下面に接して反対極性を有するイオン交換体Ｃ層を順に重ね、さらに同極性のイオンを透過するが陰イオン及び液体を通しにくいイオン交換膜Ｄを接して配し、
または
（ａ２−２）前記イオン交換膜Ａの下面に接して、前記イオン交換膜Ａと同極性のイオン交換体を積層し、
積層部分（Ｂ）の下面に接して反対極性を有するイオン交換体Ｃ層を順に重ね、さらに同極性のイオンを透過するが陰イオン及び液体を通しにくいイオン交換膜Ｄを接して配し、
（ａ３−１）前記イオン交換体Ｃ層の一方の端から純水を投入し、前記イオン交換膜またはイオン交換体Ｂ層の他方の端から生成対象イオンの塩基性電解質溶液を排出する出口を備え、
または
（ａ３−２）前記イオン交換膜またはイオン交換体Ｂ層の一方の端から純水を投入し、前記イオン交換体Ｃ層の他方の端から生成対象イオンの塩基性電解質溶液を排出する出口を備え、
（ａ４）前記イオン交換膜Ｄおよびこれに取り付けた電極の外面に接して純水または検出器からの戻り水を通す導入部を設け、
前記電極に接続する外部電流源とを備える
電極面から発生する気泡を排出促進し、さらに前記純水または検出器からの戻り水に含まれた検出イオン（陰イオン）の前記イオン交換膜Ｄの内側への拡散混入を防止させる手段
を備える高純度塩基性電解質溶液生成装置
を有し、
（Ｂ）前記（Ａ）で生成された電解質溶液を精製する手段として
（ｘ１）除去対象不純物イオン（陰イオン）を吸着するイオン交換体Ａ１層を挟んで
一方の電極Ｃ１（陰イオンの極性と同極）側に陽イオンは透過するが陰イオン及び液体を通しにくい耐久性を付与したイオン交換膜Ｂ１（陰イオンを吸着しないイオン交換膜）を介して電極Ｃ１、
他方の電極Ｃ２（陰イオンの極性と対極）側に陰イオンは透過するが陽イオン及び液体を通しにくい耐久性を付与したイオン交換膜Ｂ２（陰イオンを吸着するイオン交換膜）、イオン交換体Ａ２層（陰イオンを吸着するイオン交換体）、耐久性を付与したイオン交換体Ａ３層を介して電極Ｃ２
を備え、
（ｘ２）前記イオン交換体Ａ１層の上端部に原料溶液の導入口をつけ、下端部に精製溶液の排出口を導入口の真下から外れた位置に設け、導入口はイオン交換膜Ｂ２側に、排出口はイオン交換膜Ｂ１側にそれぞれ設け、
前記両電極の外側に排出口を設け、電極Ｃ１側には純水の供給口が併設され、  
前記イオン交換体Ａ２層の上端部に純水の供給口が設けられ
（ｘ３）前記両電極につなぐ外部電流源と、
を備える塩基性電解質溶液精製装置
を有し、
（Ｃ）分離カラムに注入した検査対象イオンを溶出させた後、検査対象イオン（陰イオン）と反対の電荷を有する陽イオンを除去する手段として
（ｘｓ１）除去対象不純物イオン（陽イオン）を吸着するイオン交換体ＡＳ１層を挟んで一方の電極ＣＳ１（陽イオンの極性と同極）側に陰イオンは透過するが陽イオン及び液体を通しにくい耐久性を付与したイオン交換膜ＢＳ１（陽イオンを吸着しないイオン交換膜）、イオン交換体ＡＳ４層（陽イオンを吸着しないイオン交換体）、耐久性を付与したイオン交換体ＡＳ５層を介して電極ＣＳ１、
他方の電極ＣＳ２（陽イオンの極性と対極）側に陽イオンは透過するが陰イオン及び液体を通しにくい耐久性を付与したイオン交換膜ＢＳ２（陽イオンを吸着するイオン交換膜）、イオン交換体ＡＳ２層（陽イオンを吸着するイオン交換体）、耐久性を付与したイオン交換体ＡＳ３層を介して電極ＣＳ２
を備え、
（ｘｓ２）前記イオン交換体ＡＳ１層の上端部に原料溶液の導入口をつけ、下端部に精製溶液の排出口を導入口の真下から外れた位置に設け、導入口はイオン交換膜ＢＳ２側に、排出口はイオン交換膜ＢＳ１側にそれぞれ設け、
前記両電極の外側に排出口を設け、
前記イオン交換体ＡＳ２層、ＡＳ４層の上端部に純水の供給口が設けられ
（ｘｓ３）前記両電極につなぐ外部電流源と、
を備える陽イオン除去用不純物イオン除去装置
を有し、
（Ｄ）検査目的成分を検出する手段として、
絶縁材でなるチューブの外面に導電性の材料でなる印加電極および検出電極を間隙をあけて設け、当該間隙部分の中央部より各電極を含む外側全体に電磁遮蔽部を設け、印加電極に交流電圧をかけ、チューブの中を通る溶液中の検査目的成分をインピーダンスの変化でとらえる非接触型インピーダンスモニター
を備えたイオンクロマトグラフ。
【請求項５】
カチオン分析システムにおいて
（Ａ）溶離液用電解質溶液生成手段として
（ａ１）生成対象イオン（陰イオン）は透過するが陽イオン及び液体を通しにくいイオン交換膜Ａを挟んで上面に、生成対象イオンと同極性（以下、「同極性」・「反対極性」は生成対象イオンの有する電気的極性を基準とする）イオンを吸着するイオン交換体ＡＡを接して設け、一方に電解質原料溶液の投入口を設け、他方の口に残余溶液の出口を設け、
出口に耐久性を付与したイオン交換体を介して電極を備える
電解質原料溶液から生成対象イオンを取り込み、残余の反対極性イオンを除去する手段
（ａ２−１）前記イオン交換膜Ａの下面に接して、前記イオン交換膜Ａと同極性のイオン交換膜を積層し、
積層部分（Ｂ）の外径を小さくして容器の内壁と積層部分の周囲に空間を設け、
積層部分（Ｂ）の下面に接して反対極性を有するイオン交換体Ｃ層を順に重ね、さらに同極性のイオンを透過するが陽イオン及び液体を通しにくいイオン交換膜Ｄを接して配し、
または
（ａ２−２）前記イオン交換膜Ａの下面に接して、前記イオン交換膜Ａと同極性のイオン交換体を積層し、
積層部分（Ｂ）の下面に接して反対極性を有するイオン交換体Ｃ層を順に重ね、さらに同極性のイオンを透過するが陽イオン及び液体を通しにくいイオン交換膜Ｄを接して配し、
（ａ３−１）前記イオン交換体Ｃ層の一方の端から純水を投入し、前記イオン交換膜またはイオン交換体Ｂ層の他方の端から生成対象イオンの酸性電解質溶液を排出する出口を備え、
または
（ａ３−２）前記イオン交換膜またはイオン交換体Ｂ層の一方の端から純水を投入し、前記イオン交換体Ｃ層の他方の端から生成対象イオンの酸性電解質溶液を排出する出口を備え、
（ａ４）前記イオン交換膜Ｄを挟んで外面に同極性イオンを吸着するイオン交換体ＤＤを設け、純水または検出器からの戻り水を導入する入口を一方に設け、イオン交換体ＤＤに通して排出する出口を他方に設け、
出口に耐久性を付与したイオン交換体を介して電極を備え、
前記電極に接続する外部電流源とを備える
電極面から発生する気泡を排出促進し、さらに前記純水または検出器からの戻り水に含まれた検出イオン（陽イオン）の前記イオン交換膜Ｄの内側への拡散混入を防止し、電極付近のイオン濃度を拡散させる手段
を備える高純度酸性電解質溶液生成装置
を有し、
（Ｂ）前記（Ａ）で生成された電解質溶液を精製する手段として
（ｘ１）除去対象不純物イオン（陽イオン）を吸着するイオン交換体Ａ１層を挟んで
一方の電極Ｃ１（陽イオンの極性と同極）側に陰イオンは透過するが陽イオン及び液体を通しにくい耐久性を付与したイオン交換膜Ｂ１（陽イオンを吸着しないイオン交換膜）、イオン交換体Ａ４層（陽イオンを吸着しないイオン交換体）、耐久性を付与したイオン交換体Ａ５層を介して電極Ｃ１、
他方の電極Ｃ２（陽イオンの極性と対極）側に陽イオンは透過するが陰イオン及び液体を通しにくい耐久性を付与したイオン交換膜Ｂ２（陽イオンを吸着するイオン交換膜）、イオン交換体Ａ２層（陽イオンを吸着するイオン交換体）、耐久性を付与したイオン交換体Ａ３層を介して電極Ｃ２
を備え、
（ｘ２）前記イオン交換体Ａ１層の上端部に原料溶液の導入口をつけ、下端部に精製溶液の排出口を導入口の真下から外れた位置に設け、導入口はイオン交換膜Ｂ２側に、排出口はイオン交換膜Ｂ１側にそれぞれ設け、
前記両電極の外側に排出口を設け、
前記イオン交換体Ａ２層、Ａ４層の上端部に純水の供給口が設けられ
（ｘ３）前記両電極につなぐ外部電流源と、
を備える酸性電解質溶液精製装置
を有し、
（Ｃ）分離カラムに注入した検査対象イオンを溶出させた後、検査対象イオン（陽イオン）と反対の電荷を有する陰イオンを除去する手段として
（ｘｓ１）除去対象不純物イオン（陰イオン）を吸着するイオン交換体ＡＳ１層を挟んで
一方の電極ＣＳ１（陰イオンの極性と同極）側に陽イオンは透過するが陰イオン及び液体を通しにくい耐久性を付与したイオン交換膜ＢＳ１（陰イオンを吸着しないイオン交換膜）を介して電極ＣＳ１、
他方の電極ＣＳ２（陰イオンの極性と対極）側に陰イオンは透過するが陽イオン及び液体を通しにくい耐久性を付与したイオン交換膜ＢＳ２（陰イオンを吸着するイオン交換膜）、イオン交換体ＡＳ２層（陰イオンを吸着するイオン交換体）、耐久性を付与したイオン交換体ＡＳ３層を介して電極ＣＳ２
を備え、
（ｘｓ２）前記イオン交換体ＡＳ１層の上端部に原料溶液の導入口をつけ、下端部に精製溶液の排出口を導入口の真下から外れた位置に設け、導入口はイオン交換膜ＢＳ２側に、排出口はイオン交換  膜ＢＳ１側にそれぞれ設け、
前記両電極の外側に排出口を設け、電極ＣＳ１側には純水の供給口が併設され、
前記イオン交換体ＡＳ２層の上端部に純水の供給口が設けられ
（ｘｓ３）前記両電極につなぐ外部電流源と、
を備える陰イオン除去用不純物イオン除去装置
を有し、
（Ｄ）検査目的成分を検出する手段として、
絶縁材でなるチューブの外面に導電性の材料でなる印加電極および検出電極を間隙をあけて設け、当該間隙部分の中央部より各電極を含む外側全体に電磁遮蔽部を設け、印加電極に交流電圧をかけ、チューブの中を通る溶液中の検査目的成分をインピーダンスの変化でとらえる非接触型インピーダンスモニター
を備えたイオンクロマトグラフ。
【請求項６】
アニオン分析システムにおいて
（Ａ）溶離液用電解質溶液生成手段として
（ａ）生成対象の陽イオンを含む電解質原料溶液が投入される第１層目に陽イオン交換樹脂が充填された層と
（ａ−１）当該第１層の一方の端部に原料溶液投入口を設けて投入配管が取り付けられ、
（ａ−２）当該第１層の他方の端部に液体透過性と耐久性を付与した陽イオン交換膜を配し、当該交換膜に接して陽極電極を取り付け、溶液排出口を設けて排出配管が取り付けられ
（ｂ）第２層目に上記第１層目の陽イオン交換樹脂を支える耐久性を付与した陽イオン交換膜Ａと
（ｃ）第３層目に陽イオン交換膜が積層された層と、
（ｃ−１）積層部分（ｃ）の外径は、容器の内壁よりも小さくし、容器の内壁と積層部分の周囲に空間を設け、
（ｃ−２）当該第３層の一方の端部に生成対象イオンの塩基性電解質溶液を取り出す出口を設けて取り出し配管が取り付けられ、
（ｄ）第４層目に陰イオン交換樹脂が充填された層と
（ｄ−１）当該第４層の一方の端部に純水投入口を設けて投入配管が取り付けられ、
（ｅ）第５層目に上記３層目から４層目にいたるイオン交換体を支える耐久性を付与した陽イオン交換膜と
（ｆ）純水または検出器から排出された溶出液が投入される第６層目に陽イオン交換樹脂が充填された層と
（ｆ−１）当該第６層の一方の端部に純水投入口を設けて投入配管が取り付けられ、
（ｆ−２）当該第６層の他方の端部に液体透過性と耐久性を付与した陽イオン交換膜を配し、当該交換膜に接して陰極電極を取り付け、溶液排出口を設けて排出配管が取り付けられ
（ｇ）上記電極を結ぶ外部電流源と
を備える高純度塩基性電解質溶液生成装置
を有し、
（Ｂ）前記（Ａ）で生成された電解質溶液を精製する手段として
（ａ）電解質原料溶液が投入される導入部と
（ａ−１）当該導入部に陰イオン交換樹脂が充填され、第１の領域を形成して、
（ａ−２）当該導入部は両端が電極に挟まれ、当該両電極の外側に廃液出口が設けられ、
陰極電極に接して内側に液体透過性および耐久性を付与した陽イオン交換膜、陰イオンを吸着しない陽イオン交換樹脂層、陽イオンは透過するが陰イオン及び液体を通しにくい耐久性を付与した陽イオン交換膜を設けて第２の領域を形成し、
陽極電極に接して内側に液体透過性および耐久性を付与した陽イオン交換膜、陰イオンを吸着する陰イオン交換樹脂層、陰イオンは透過するが陽イオン及び液体を通しにくい耐久性を付与した陰イオン交換膜を設けて第３の領域を形成し、
（ａ−３）前記第１の領域の前記陰イオン交換膜位置側に、電解質原料溶液投入口を設けて、投入配管が取り付けられ、前記陽イオン交換膜位置側に、目的精製液取り出し口をもうけて取り出し配管が取り付けれ、
（ａ−４）前記第２の領域の陽イオン交換樹脂層および第３の領域の陰イオン交換樹脂層の上端部に純水投入口を設けて投入配管が取り付けられ
（ｂ）前記（ａ）に記載した電極を結ぶ外部電流源と
を備える塩基性電解質溶液精製装置
を有し、
（Ｃ）分離カラムに注入した検査対象イオンを溶出させた後、検査対象イオン（陰イオン）と反対の電荷を有するイオンを除去する手段として
（ａ）電解質原料溶液が投入される導入部と
（ａ−１）当該導入部に陽イオン交換樹脂が充填され、第１の領域を形成して、
（ａ−２）当該導入部は両端が電極に挟まれ、当該両電極の外側に廃液出口が設けられ、
陽極電極に接して内側に液体透過性および耐久性を付与した陽イオン交換膜、陽イオンを吸着しない陰イオン交換樹脂層、陰イオンは透過するが陽イオン及び液体を通しにくい耐久性を付与した陰イオン交換膜を設けて第２の領域を形成し、
陰極電極に接して内側に液体透過性および耐久性を付与した陽イオン交換膜、陽イオンを吸着する陽イオン交換樹脂層、陽イオンは透過するが陰イオン及び液体を通しにくい耐久性を付与した陽イオン交換膜を設けて第３の領域を形成し、
（ａ−３）前記第１の領域の前記陽イオン交換膜位置側に、電解質原料溶液投入口を設けて、投入配管が取り付けられ、前記陰イオン交換膜位置側に、目的精製液取り出し口をもうけて取り出し配管が取り付けれ、
（ａ−４）前記第２の領域の陰イオン交換樹脂層および第３の領域の陽イオン交換樹脂層の上端部に純水投入口を設けて投入配管が取り付けられ
（ｂ）前記（ａ）に記載した電極を結ぶ外部電流源と
を備える陽イオン除去用不純物イオン除去装置
を有し、
（Ｄ）検査目的成分を検出する手段として、
絶縁材でなるチューブの外面に導電性の材料でなる印加電極および検出電極を間隙をあけて設け、当該間隙部分の中央部より各電極を含む外側全体に電磁遮蔽部を設け、印加電極に交流電圧をかけ、チューブの中を通る溶液中の検査目的成分をインピーダンスの変化でとらえる非接触型インピーダンスモニター
を備えたイオンクロマトグラフ。
【請求項７】
カチオン分析システムとして
（Ａ）溶離液用電解質溶液生成手段として
（ａ）生成対象の陰イオンを含む電解質原料溶液が投入される第１層目に陰イオン交換樹脂が充填された層と
（ａ−１）当該第１層の一方の端部に原料溶液投入口を設けて投入配管が取り付けられ、
（ａ−２）当該第１層の他方の端部に液体透過性と耐久性を有する陽イオン交換膜を配し、当該交換膜に接して陰極電極を取り付け、溶液排出口を設けて排出配管が取り付けられ
（ｂ）第２層目に上記第１層目の陰イオン交換樹脂を支える耐久性を付与した陰イオン交換膜と
（ｃ）第３層目に陰イオン交換膜が積層された層と、
（ｃ−１）積層部分（ｃ）の外径は、容器の内壁よりも小さくし、容器の内壁と積層部分の周囲に空間を設け、
（ｃ−２）当該第３層の一方の端部に生成対象イオンの酸性電解質溶液を取り出す出口を設けて取り出し配管が取り付けられ、
（ｄ）第４層目に陽イオン交換樹脂が充填された層と
（ｄ−１）当該第４層に純水投入口を設けて投入配管が取り付けられ、
（ｅ）第５層目に上記３層目から４層目にいたるイオン交換体を支える耐久性を付与した陰イオン交換膜と
（ｆ）純水または検出器から排出された溶出液が投入される第６層目に陰イオン交換樹脂が充填された層と
（ｆ−１）当該第６層の一方の端部に純水投入口を設けて投入配管が取り付けられ、
（ｆ−２）当該第６層の他方の端部に液体透過性と耐久性を有する陽イオン交換膜を配し、当該交換膜片に接して陽極電極を取り付け、溶液排出口を設けて排出配管が取り付けられ
（ｇ）上記電極を結ぶ外部電流源と
を備える高純度酸性電解質溶液生成装置
を有し、
（Ｂ）前記（Ａ）で生成された電解質溶液を精製する手段として
（ａ）電解質原料溶液が投入される導入部と
（ａ−１）当該導入部に陽イオン交換樹脂が充填され、第１の領域を形成して、
（ａ−２）当該導入部は両端が電極に挟まれ、当該両電極の外側に廃液出口が設けられ、
陽極電極に接して内側に液体透過性および耐久性を付与した陽イオン交換膜、陽イオンを吸着しない陰イオン交換樹脂層、陰イオンは透過するが陽イオン及び液体を通しにくい耐久性を付与した陰イオン交換膜を設けて第２の領域を形成し、
陰極電極に接して内側に液体透過性および耐久性を付与した陽イオン交換膜、陽イオンを吸着する陽イオン交換樹脂層、陽イオンは透過するが陰イオン及び液体を通しにくい耐久性を付与した陽イオン交換膜を設けて第３の領域を形成し、
（ａ−３）前記第１の領域の前記陽イオン交換膜位置側に、電解質原料溶液投入口を設けて、投入配管が取り付けられ、前記陰イオン交換膜位置側に、目的精製液取り出し口をもうけて取り出し配管が取り付けれ、
（ａ−４）前記第２の領域の陰イオン交換樹脂層および第３の領域の陽イオン交換樹脂層の上端部に純水投入口を設けて投入配管が取り付けられ
（ｂ）前記（ａ）に記載した電極を結ぶ外部電流源と
を備える酸性電解質溶液精製装置
を有し、
（Ｃ）分離カラムに注入した検査対象イオンを溶出させた後、検査対象イオン（陽イオン）と反対の電荷を有するイオンを除去する手段として
（ａ）電解質原料溶液が投入される導入部と
（ａ−１）当該導入部に陰イオン交換樹脂が充填され、第１の領域を形成して、
（ａ−２）当該導入部は両端が電極に挟まれ、当該両電極の外側に廃液出口が設けられ、
陰極電極に接して内側に液体透過性および耐久性を付与した陽イオン交換膜、陰イオンを吸着しない陽イオン交換樹脂層、陽イオンは透過するが陰イオン及び液体を通しにくい耐久性を付与した陽イオン交換膜を設けて第２の領域を形成し、
陽極電極に接して内側に液体透過性および耐久性を付与した陽イオン交換膜、陰イオンを吸着する陰イオン交換樹脂層、陰イオンは透過するが陽イオン及び液体を通しにくい耐久性を付与した陰イオン交換膜を設けて第３の領域を形成し、
（ａ−３）前記第１の領域の前記陰イオン交換膜位置側に、電解質原料溶液投入口を設けて、投入配管が取り付けられ、前記陽イオン交換膜位置側に、目的精製液取り出し口をもうけて取り出し配管が取り付けれ、
（ａ−４）前記第２の領域の陽イオン交換樹脂層および第３の領域の陰イオン交換樹脂層の上端部に純水投入口を設けて投入配管が取り付けられ
（ｂ）前記（ａ）に記載した電極を結ぶ外部電流源と
を備える陰イオン除去用不純物イオン除去装置
を有し、
（Ｄ）検査目的成分を検出する手段として、
絶縁材でなるチューブの外面に導電性の材料でなる印加電極および検出電極を間隙をあけて設け、当該間隙部分の中央部より各電極を含む外側全体に電磁遮蔽部を設け、印加電極に交流電圧をかけ、チューブの中を通る溶液中の検査目的成分をインピーダンスの変化でとらえる非接触型インピーダンスモニター
を備えたイオンクロマトグラフ。
【請求項８】
生成した電解質溶液のインピーダンスを測定する非接触型インピーダンスモニターと、測定し得られた信号に基づき、目標値からのずれが収束するように電解質溶液生成装置への印加電圧を調整し、生成した電解質溶液のインピーダンスが、所定のインピーダンスの電解質溶液となるように制御するフィードバック制御手段を内蔵した電解質溶液生成装置用制御装置
を有する請求項１から７記載のイオンクロマトグラフ。
【発明の詳細な説明】
【技術分野】
【０００１】
本発明は、高精度イオンクロマトグラフ（分析装置）に関する。
【背景技術】
【０００２】
現代のイオンクロマトグラフィー（分離操作方法）は電解質を含む溶離液を移動相としてイオン交換体などを固定相とした分離カラムで、試料中のイオン性化学種を分離、溶出し、電気的または光学的に検出する方法をいい、広い意味で用いられるようになっている。
そして、分析対象とする成分もアルカリ金属およびアルカリ土類金属イオン、無機陰イオン、有機酸とあらゆるイオン性化学種に及んでいる。
そのイオンクロトグラフィーを支える装置構成は、一般的に、溶離液貯槽、送液ポンプ、
試料注入用バルブ、分離カラム、サプレッサー（不純物イオン除去装置）、電気伝導度検出器または吸光度検出器からなり、分離カラム技術、サプレッサー技術、検出技術の進歩によって、分離精度や定量精度が向上してきた。
【０００３】
イオンクロマトグラフ（分析装置）を構成する溶離液の生成装置に関する先行技術として下記特許文献１から５まで、サプレーサーや溶離液の精製装置に用いられる不純物イオン除去装置に関する先行技術として下記特許文献６から１１まで、非接触型電気伝導度検出器に関する先行技術として下記特許文献１２から１３まで、非特許文献１から６までをあげることができる。
なお、本出願人は本願に先立ってイオンクロマトグラフを構成する高純度電解質溶液生成装置（特願２０１０−２１２８９７）、不純物除去装置（特願２０１０−２１２８９８）を出願している。
【先行技術文献】
【特許文献】
【０００４】
【特許文献１】特表２０００−５１０９５７号公報
【特許文献２】特表２００１−５２０７５２号公報
【特許文献３】特表２００２−５１５１２２号公報
【特許文献４】特表２００５−５３８３８２号公報
【特許文献５】特許第４０８６４５６号公報
【特許文献６】特開２００１−１８８０６３号公報
【特許文献７】特表２０００−５１０９５７号公報
【特許文献８】特表２００２−５０９２３８号公報
【特許文献９】特表２００４−５０８５４０号公報
【特許文献１０】特表２００５−５３８３８２号公報
【特許文献１１】特表２００８−５１３７９０号公報
【特許文献１２】特表２００７−５２６４６２号公報
【特許文献１３】特開２００９−２３６７３９号公報
【非特許文献】
【０００５】
【非特許文献１】A.J.Zemann,Anal.Chem.,1998,70,p563-567
【非特許文献２】J.A.Fracassi,Anal.Chem.,1998,70,p4339-4343
【非特許文献３】Pal,F.;Pungor,E.;Kovats,E.Anal.Chem.1988,60,2254.
【非特許文献４】Alder,J.F.;Drew,P.k.P.Anal.Chim.Acta1979,110,325.
【非特許文献５】Everaerts,F.M.;Rommers,P.J.J.Chromatogr.1974.91.809.
【非特許文献６】Vacik,J.;Zuska,J.;Muselasova,I.J.Chromatogr.1985,320,233.
【発明の概要】
【発明が解決しようとする課題】
【０００６】
本発明は基本的分離性能の向上した高感度イオンクロマトグラフ（分析装置）を提供することを課題とするものである。
【課題を解決するための手段】
【０００７】
イオンクロマトグラフィー（分離操作方法）を支える装置は前記したような多くの装置から構成されるが、本発明はこれら装置のうち新規な高純度電解質溶液生成装置、高性能電解質溶液精製装置、高性能サプレッサー（不純物イオン除去装置）および高感度検出器の主要構成装置を組み合わせ、さらに電解質溶液生成装置用制御装置を組み込んだシステム装置としてのイオンクロマトグラフ（分析装置）によって前記課題を解決するものである。
【発明の効果】
【０００８】
イオンクロマトグラフとして基本的分離性能にすぐれ、さらには特に高インピーダンス領域にある溶液中での希薄濃度のイオン性化学種の定量分析にも用いることのできる高感度なイオン分析装置である。
【図面の簡単な説明】
【０００９】
【図１】アニオン分析システムの概略構成図
【図２】アニオン分析用塩基性電解質溶液生成装置１の断面図
【図３】アニオン分析用塩基性電解質溶液生成装置１ａの断面図
【図４】アニオン分析用塩基性電解質溶液精製装置２（陰イオン除去用不純物イオン除去装置）の断面図
【図５】アニオン分析用塩基性電解質溶液精製装置２ａ（陰イオン除去用不純物イオン除去装置）の断面図
【００１０】
【図６】サンプルの陰イオン以外のイオンを除去するアニオン分析用陽イオン除去用不純物イオン除去装置９の断面図
【図７】カチオン分析システムの概略構成図
【図８】カチオン分析用酸性電解質溶液生成装置１ｂの断面図
【図９】カチオン分析用酸性電解質溶液精製装置２ｂ（陽イオン除去用不純物イオン除去装置）の断面図
【図１０】サンプルの陽イオン以外のイオンを除去するカチオン分析用陰イオン除去用不純物イオン除去装置９ａの断面図
【００１１】
【図１１】サンプルの陽イオン以外のイオンを除去するカチオン分析用陰イオン除去用不純物イオン除去装置９ｂの断面図
【図１２】高インピーダンス溶液用非接触型インピーダンスモニター
【図１３】電解質溶液生成装置の制御装置
【図１４】直流電流と電解質溶液生成液の電気伝導度の関係図
【図１５】交流電流と電解質溶液生成液の電気伝導度の関係図
【図１６】アニオン分析システム１００による標準アニオンのイオンクロマトグラム
【図１７】カチオン分析システム１００による標準カチオンのイオンクロマトグラム
【発明を実施するための形態】
【００１２】
本発明について、図１に示す最良の実施形態にもとづいて説明する。
【００１３】
＜イオン分析システム＞
図１は、本発明のイオンクロマトグラフを構成するアニオン（陰イオン）分析システムの概略構成を示す図面である。
本発明のアニオン分析システムでは塩基性電解質溶液生成装置１および塩基性電解質溶液精製装置２、陽イオン除去用不純物イオン除去装置９、高インピーダンス溶液用非接触型インピーダンスモニター１１、さらに必要に応じて塩基性電解質溶液生成装置用制御装置６を備えたイオンクロマトグラフ（分析装置）である。
図７は、本発明のイオンクロマトグラフを構成するカチオン（陽イオン）分析システムの概略構成を示す図面である。
本発明のカチオン分析システムでは酸性電解質溶液生成装置１および酸性電解質溶液精製装置２、陰イオン除去用不純物イオン除去装置９、高インピーダンス溶液用非接触型インピーダンスモニター１１、さらに必要に応じて酸性電解質溶液生成装置用制御装置を備えたイオンクロマトグラフ（分析装置）である。
【００１４】
このイオン分析システムは、主要な構成として、電解質溶液生成装置としての電解質溶液生成装置１、電解質溶液生成装置１で得られた電解質溶液を精製する電解質溶液精製装置2、ポンプ３、サンプルを注入するインジェクターポート５、電解質溶液生成装置用制御装置６、分離カラム７、不純物イオン除去装置９、及び不純物イオン除去装置９からの排出された溶出液のインピーダンスを検出する高インピーダンス溶液用非接触型インピーダンスモニター１１、検出器１１で得られたデータを処理するデータ処理装置４を備えている。これらの各構成部は、配管１３によって接続されている。また、配管１３上には三方ジョイント１５が設けられ、電解質溶液生成装置１から流出する液量とポンプ３で排出する液量との調整を図っている。
【００１５】
電解質溶液生成装置１と電解質溶液精製装置２と不純物イオン除去装置９は、本イオン分析システムで使用する高インピーダンス溶液用非接触型インピーダンスモニターの能力を最大限に引き出すために必要な装置であり、本イオン分析システム専用に開発した装置である。また、電解質溶液生成装置用制御装置６は低インピーダンス溶液用非接触型インピーダンスモニターおよびフィードバック制御手段を内蔵し、電解質溶液生成装置１で生成した電解質溶液のインピーダンスを制御する装置である。この制御装置では、電解質溶液生成装置１で生成した電解質溶液を低インピーダンス溶液用非接触型インピーダンスモニターで測定し、得られた信号に基づき、目標値からのずれが収束するように電解質溶液生成装置１への印加電圧を調整し、生成した電解質溶液のインピーダンスが所定のインピーダンスの電解質溶液となるように制御している。この開発した４つの装置と高インピーダンス溶液用非接触型インピーダンスモニターを使用した本イオン分析システムは、従来型のイオン分析システムと比べ１０倍以上の高感度検出が可能である。
【００１６】
イオン分析システムを、検出対象イオンが陰イオンであるアニオン（陰イオン）分析システムの構成として説明する。一般的に陰イオン分析では、例えば炭酸ナトリウム、水酸化カリウムなどの塩基性の電解質溶液を溶離液として使用する。本イオン分析システムには溶離液として使用する塩基性電解質溶液をインライン中で生成する事が可能な電解質溶液生成装置１と生成した電解質溶液のインピーダンスを所定のインピーダンスに制御する事が可能な電解質溶液生成装置用制御装置６が備わっている。これにより、空気中から混入する炭酸を含まない塩基性の電解質溶液を安定供給する事が可能となる。また、イオン分析システムには、電解質溶液生成装置１で得られる塩基性の電解質溶液を精製する電解質溶液精製装置２が備わっている。これは電解質溶液生成装置１で得られる電解質溶液の純度では、高インピーダンス溶液用非接触型インピーダンスモニターを検出器として用いる上で、純度が不十分であるため、電解質溶液生成装置１で得られる電解質溶液を電解質溶液精製装置２にて精製することで、目的とする高純度な電解質溶液とすることができる。
【００１７】
電解質溶液精製装置２からの溶出液は、ポンプ３を作動させることにより、インジェクターポート５を通り、分離カラム７に流れる。そして、途中のインジェクターポート５でサンプルが注入される。サンプルは、分離カラム７中で、溶離液Ｅ中の電解質との交換反応によって分離され、溶出される。次に、検出対象イオンを含む分離カラム７からの溶出液は、不純物イオン除去装置９を通過することにより非検出対象イオン（陽イオン）の大部分が取り除かれ、検出器１１において検出対象イオン（陰イオン）の検出が行われる。
【００１８】
＜電解質溶液生成装置＞
陰イオンと陽イオンの分析には、それぞれ専用の電解質溶液生成装置を準備する必要がある。図２、３に示す電解質溶液生成装置は陰イオン分析用に用いる塩基性電解質溶液生成装置の主要断面図を示す。図８に示す電解質溶液生成装置は陽イオン分析用に用いる酸性電解質溶液生成装置の主要断面図を示す。
【００１９】
図２に示す電解質溶液生成装置について説明する。
図２に示す電解質溶液生成装置１は陽イオン交換膜１２７ａに隣接してその外側にイオン交換体のひとつである陽イオン交換樹脂層１２５Ｅとイオン交換体のひとつである液体透過性を付与した陽イオン交換膜１２７ｃと陽極１３１ｂを設け、イオン導入手段として電解質溶液貯留部１７３及びポンプ１７５と配管１７７により構成される電解質溶液供給部１７１を設けている。
【００２０】
陽イオン交換膜１２７ａの下面に接して、陽イオン交換膜１２７ａと同極性の陽イオン交換膜を積層し、陽イオン交換膜積層１２５ａとし、
陽イオン交換膜積層１２５ａの外径を若干小さくして容器の内壁と陽イオン交換膜積層１２５ａの周囲に空間（陰イオン交換樹脂１２５Ｂのビーズが通過できない程度の空間）を設け、
陽イオン交換膜積層１２５ａの下面に接して反対極性を有するイオン交換体のひとつである陰イオン交換樹脂１２５Ｂ層を順に重ね、さらに同極性イオン（陽イオン）を吸着し、同極性のイオンを透過するが陰イオン及び液体を通しにくい陽イオン交換膜１２７ｂを接して配置し、
または、図示していないが
陽イオン交換膜１２７ａの下面に接して、陽イオン交換膜１２７ａと同極性のイオン交換体を積層し、陽イオン交換体積層とし、
陽イオン交換体積層の下面に接して反対極性を有するイオン交換体のひとつである陰イオン交換樹脂１２５Ｂ層を順に重ね、さらに同極性イオン（陽イオン）を吸着し、同極性のイオンを透過するが陰イオン及び液体を通しにくい陽イオン交換膜１２７ｂを接して配置し、
【００２１】
前記陽イオン交換膜１２７ｂを挟んで外面に同極性イオンを吸着するイオン交換体のひとつである陽イオン交換樹脂１２５Ｄ層を設け、純水または検出器からの戻り水を導入する入口を一方に設け、イオン交換体のひとつである陽イオン交換樹脂１２５Ｄ層に通して排出する出口を他方に設け、
出口に耐久性を付与したイオン交換体のひとつである液体透過性を付与した陽イオン交換膜１２７ｄを介して電極を備え、
前記電極に接続する外部電流源とを備える
電極面から発生する気泡はイオン交換樹脂１２５Ｄ層を介して電気泳動（イオンの移動）および電気浸透流（イオンを取り囲む溶媒の流れでイオンの流れと共に生ずる）により速やかに排出促進させ、さらに前記純水または検出器からの戻り水に含まれた検出イオン（反対極性イオン）の前記陽イオン交換膜１２７ｂの内側への拡散混入を防止し、電極付近のイオン濃度を拡散させる手段
を有する溶離液用高純度電解質溶液生成装置である。
【００２２】
この高純度電解質溶液生成装置では、陽イオン交換膜層１２５ａの部分で、陽イオンのイオンの流れと、純水の流れをクロスさせている。陽イオンは陽イオン交換膜層１２５ａ内を移動し、純水の流れは陽イオン交換膜層１２５ａ外、つまり、容器の内壁と陽イオン交換膜層１２５ａとの隙間を流れる。従って、陽イオン交換膜層１２５ａとイオン交換体のひとつである陰イオン交換樹脂層１２５Ｂとの間に集積したイオンは、純水の流れにより、この隙間（容器の内壁と陽イオン交換膜層との隙間）を通って、塩基性電解質溶液として外部に流れる。
なお、陽イオン交換膜層を多層にしているのは陽イオン交換膜１枚の厚みは通常、０．２ｍｍ前後しかないので多層にしないと液が流れる空間を作る事ができないからである。
【００２３】
イオン交換体とはイオン交換能を有する物質をさし、特に不溶性高分子化合物にイオン交換基をもつイオン交換樹脂を好適に用いることができ、ビーズ状、フレーク状、繊維状、不織布状、膜状等に成形されたものがよい。また、イオン交換体層全体として陽または陰イオンのイオン交換能を有するならばこれら二種以上のイオン交換体を適宜交互に積層、混層してもよい。さらに、通常、液体透過性を有するもの、あるいは液体透過性を有する使用の仕方でのイオン交換体を意味するものである。
液透過性を付与した陽イオン交換膜とは、例えば通常の陽イオン交換膜にスリット加工等を施して液透過性を付与したものである。
【００２４】
図３に示す電解質溶液生成装置について説明する。
図３に示す電解質溶液生成装置は前記した図２に示す電解質溶液生成装置の気泡排出部１２４の構造が異なるだけで後は同じである。
当該気泡排出部１２４は陽イオン交換膜１２７ｂおよびこれに取り付けた電極１３１ａの外面に接して純水または検出器からの戻り水を通す導入部を設け、
前記電極に接続する外部電流源とを備える
電極面から発生する気泡を排出促進し、さらに前記純水または検出器からの戻り水に含まれた検出イオンの陽イオン交換膜１２７ｂの内側への拡散混入を防止させる手段
を有する。
【００２５】
図８に示す酸性電解質溶液生成装置について説明する。
（Ａ）生成対象の陰イオンを含む電解質原料溶液が投入される第１層目に陰イオン交換樹脂が充填された層と
（Ａ−１）当該第１層の一方の端部に原料溶液投入口を設けて投入配管が取り付けられ、
（Ａ−２）当該第１層の他方の端部に液体透過性と耐久性を有する陽イオン交換膜を配し、当該交換膜に接して陰極電極を取り付け、溶液排出口を設けて排出配管が取り付けられ
（Ｂ）第２層目に上記第１層目の陰イオン交換樹脂を支える耐久性を付与した陰イオン交換膜と
（Ｃ）第３層目に陰イオン交換膜が積層された層と、
（Ｃ−１）積層部分（Ｃ）の外径は、容器の内壁よりも小さくし、容器の内壁と積層部分の周囲に空間（第４層目の陽イオン交換樹脂のビーズが通過できない程度の空間）を設け、
（Ｃ−２）当該第３層の一方の端部に生成対象イオンの酸性電解質溶液を取り出す出口を設けて取り出し配管が取り付けられ、
（Ｄ）第４層目に陽イオン交換樹脂が充填された層と
（Ｄ−１）当該第４層に純水投入口を設けて投入配管が取り付けられ、
（Ｅ）第５層目に上記３層目から４層目にいたるイオン交換体を支える耐久性を付与した陰イオン交換膜と
（Ｆ）純水または検出器から排出された溶出液が投入される第６層目に陰イオン交換樹脂が充填された層と
（Ｆ−１）当該第６層の一方の端部に純水投入口を設けて投入配管が取り付けられ、
（Ｆ−２）当該第６層の他方の端部に液体透過性と耐久性を有する陽イオン交換膜を配し、当該交換膜片に接して陽極電極を取り付け、溶液排出口を設けて排出配管が取り付けられ
（Ｇ）上記電極を結ぶ外部電流源と
を備える溶離液用高純度酸性電解質溶液生成装置
である。
【００２６】
＜電解質溶液精製装置＞
陰イオンと陽イオンの分析には、それぞれ専用の電解質溶液精製装置を準備する必要がある。陰イオン分析用には塩基性電解質溶液を溶離液に用いるので前記塩基性電解質溶液生成装置で説明した装置が使用される。前記塩基性電解質溶液生成装置では陽イオン源由来の不純物陰イオンは取り除けるが純水由来の不純物陰イオンは取り除けることが出来ない。そこで、不純物陰イオンを取り除く電解質溶液精製装置が必要になる。
【００２７】
図４、図５に陰イオン除去用電解質溶液精製装置の断面図を示す。
図４の装置は容器（２２１）に陰イオン交換体のひとつである陰イオン交換樹脂（２２３）を充填した層を挟んで、イオン交換膜（陰イオン交換膜２２７ａ，陽イオン交換膜ｂ）で固定し、当該イオン交換膜の片側（陰イオン交換膜２２７ａ側）に気泡排出促進部を設けた構造になっている。これに対して図５の装置は当該イオン交換膜の両側に気泡排出促進部を設けた構造になっている。
陽極部分において電極（２３１ａ）と陰イオン交換膜（２２７ａ）の間に純水の注入ゾーンを設けている。すなわち、断面が陰イオン交換膜（２２７ａ）、陰イオン交換体のひとつである陰イオン交換樹脂（２２５Ｂ）層、液透過性を付与した陽イオン交換体のひとつである陽イオン交換膜（２２８ａ）、電極（２３１ａ）で構成され、陰イオン交換体のひとつである陰イオン交換樹脂（２２５Ｂ）層の上部に純水の導入口が設けられている。
図５の装置は陰極部分においても電極（２３１ｂ）と陽イオン交換膜（２２７ｂ）の間に純水の注入ゾーンを設けている。すなわち、断面が陽イオン交換膜（２２７ｂ）、陽イオン交換体のひとつである陽イオン交換樹脂（２２５Ａ）層、液透過性を付与した陽イオン交換体のひとつである陽イオン交換膜（２２８ｂ）、電極（２３１ｂ）で構成され、陽イオン交換体のひとつである陽イオン交換樹脂（２２５Ａ）層の上部に純水の導入口が設けられている。
容器上端の一方の電極側（陽極側）に不純物イオンを含む溶液を導入する入口（２２１ａ）が設けられ、下端の他方の電極側（陰極側）に出口（２２２ａ）を設け、さらに外部電流源（２３３）から両電極に接続した構成である。
【００２８】
液透過性を付与した陽イオン交換膜とは、例えば通常の陽イオン交換膜にスリット加工等を施して液透過性を付与したものである。このスリット加工により、逆に外部から系内への不純物を含む液体やガスの浸入を避けられないが、そのため、純水供給装置２４１ａから常に純水を流し、外部から系内への不純物を含む液体やガスの混入を防いでいる。
このような陽イオン交換膜には耐久性にすぐれたテフロン（登録商標）系の陽イオン交換膜でＮａｆｉｏｎ（登録商標）ＮＲＥ−２１２、１１５、１１７、３２４、４２４、５５１（デュポン社製）が好適に用いられる。
【００２９】
陽イオン除去用電解質溶液精製装置の場合については、図９に示すように陰イオン交換体（２２３）、（２２５Ｂ）の代わりに陽イオン交換体（２２３）、（２２５Ｂ）を、陽イオン交換体（２２５Ａ）の代わりに陰イオン交換体（２２５Ａ）を、イオン交換膜２２７ａに陽イオン交換膜を、同２２７ｂに陰イオン交換膜を使用、電極の設定が逆となる電極２３１ａは陰極，同２３１ｂは陽極となる。装置の構成上の違いは以上の点だけである。
【００３０】
＜不純物イオン除去装置＞
陰イオンと陽イオンの分析には、それぞれ専用の不純物イオン除去装置を準備する必要がある。
陰イオン分析では塩基性溶離液を使用することから陽イオン除去用不純物イオン除去装置を使用することになる。
陽イオン除去用不純物イオン除去装置は図６に示す。その説明は前記陽イオン除去用電解質溶液精製装置と重複するので省略する。
陰イオン除去用不純物イオン除去装置は図１０、図１１に示す。その説明は前記陰イオン除去用電解質溶液精製装置と重複するので省略する。
【００３１】
＜検出器＞
検出器１１は、分離カラムからの溶出液のインピーダンスを計測し、それに基づいてインピーダンス変化を検出する高インピーダンス溶液用非接触型インピーダンスモニターである。高インピーダンスな溶液（超純水など）のインピーダンスを測定する場合、従来、主に使用されてきた接触型電気伝導度計では外来からの誘導ノイズ（伝導ノイズ、放射ノイズ、電磁誘導ノイズ、静電誘導ノイズ等）の影響を受けるため、溶液の状態変化が正確に測定できないという問題点があった。そこで、特に低濃度のイオンを含む高インピーダンスな溶液を検出対象とする場合に、外来の誘導ノイズの影響が小さく、高い再現性、そして高感度の検出が可能になる高インピーダンス溶液用非接触型インピーダンスモニターを使用することは、イオン分析システムにおいて有利である。
【００３２】
図１２は、検出器１１を構成する高インピーダンス溶液用非接触型インピーダンスモニターの概略構成を示す。高インピーダンス溶液用非接触型インピーダンスモニター１１は、２つのセンサー電極１５１ａ及び１５１ｂと、これらにそれぞれ電気的に接続する２つの増幅器１５３ａ及び１５３ｂと、増幅器１５３ａを介してセンサー電極１５１ａに接続する機能発生器(function generator；ＦＧ)１５５と、増幅器１５３ｂを介してセンサー電極１５１ｂに接続する整流器（rectifier）１５７とを備えているまた、高インピーダンス溶液用非接触型インピーダンスモニター１１には、検出溶液を通流させる管路１６０が設けられている。２つのセンサー電極１５１ａ及び１５１ｂは、この管路１６０の外側に、数ミリ程度の間隔をあけて配置されている。
なお、インピーダンスの高い溶液を測定する場合には、センサー電極１５１ａ、１５１ｂ間の管路１６０内のインピーダンスが非常に高くなり、外来からの誘導ノイズ（伝導ノイズ、放射ノイズ、電磁誘導ノイズ、静電誘導ノイズ等）の影響を受けるため、溶液の状態変化が正確に測定できないという問題点があった。そのため、外来からの誘導ノイズの影響を遮断するたに、グランド１５４に接続されたバリアー電極１５２が配置されていることが好ましい。  
【００３３】
管路１６０を流れる溶出液中の検出対象イオンは、２つのセンサー電極１５１ａ、及び１５１ｂを通過するときに検出される。このとき、機能発生器１５５としての、例えば交流電源のオシレーターからの信号が、センサー電極１５１ａに印加される。この信号が、もう片方のセンサー電極１５１ｂを通って整流器１５７へ流れる間に、溶出液とセンサー電極１５１ａ、１５１ｂが非接触状態において管路１６０内を流れる溶液のインピーダンスの変化量に応じて信号の変化量を検出することが可能となる。
【００３４】
＜電解質溶液生成装置制御装置＞
図１３に示すように電解質溶液生成装置用制御装置６は低インピーダンス溶液用非接触型インピーダンスモニターおよびフィードバック制御手段を内蔵し、電解質溶液生成装置１で生成した電解質溶液のインピーダンスを制御する装置である。この制御装置では、生成した電解質溶液を低インピーダンス溶液用非接触型インピーダンスモニターで測定し、得られた信号に基づき、目標値からのずれが収束するように電解質溶液生成装置１への印加電圧を調整し、生成した電解質溶液のインピーダンスが、所定のインピーダンスの電解質溶液となるように制御している。電解質溶液生成装置用制御装置６で使用する低インピーダンス溶液用非接触型インピーダンスモニターは、前記で述べた高インピーダンス溶液用非非接触型インピーダンスモニターの２つのセンサー電極１５１ａ及び１５１ｂの電極の幅、印加電圧、周波数を代え、低インピーダンスの溶液の測定用に改造した測定装置である。低インピーダンス溶液用非接触型インピーダンスモニターでは、２つのセンサー電極１５１ａ及び１５１ｂの幅を長くし、印加電圧を低くし、周波数を高くしている。
具体的には電極幅が２５ｍｍ以上（高インピーダンス用では２５ｍｍ以下）、印加電圧±１０Ｖ以下（高インピーダンス用では±１００Ｖ以上）、周波数１０ｋＨｚ以上（高インピーダンス用では１０ｋＨｚ以下）としたものが好適に用いられる。
なお、必要とあれば、目標値の設定値を、別途キーボードから与え、パソコンからの操作指令で目標設定値が操作できる。
【００３５】
本制御装置は、例えばＰＩＤ制御を利用し、電解質溶液生成装置に印加する電圧を制御している。図１３に示した制御対象とは電解質溶液のインピーダンスを制御したい電解質溶液生成装置１、制御要素が電解質溶液生成装置用制御装置６、偏差が目的値と測定値との差、操作量がＰＩＤ演算から導き出した印加電圧、被制御量が電解質溶液のインピーダンス、基準入力要素が目標値を基準入力信号（電流，電圧など，制御要素を操作する信号）に変換する要素、フィードバック要素は被制御量を基準入力信号と比較できる信号に変換する低インピーダンス溶液用非接触型インピーダンスモニターにそれぞれ相当する。
【００３６】
＜陰イオン分析システムを使ったイオン分析＞
図1に示す陰イオン分析システムと同じ構成を有する陰イオン分析システム１００においては、少なくとも以下の工程； 
電解質溶液生成装置１により塩基性電解質溶液を製造する工程と、
電解質溶液精製装置２において電解質溶液生成装置１により生成した塩基性電解質溶液中に含まれる不純物の陰イオンを取り除く工程と
電解質溶液生成装置用制御装置６において電解質溶液生成装置１により生成した塩基性電解質溶液のインピーダンスを所定のインピーダンス値に制御する工程と、
分離カラム７において前記塩基性電解質溶液を用いて検出対象イオンを含む試料を分離・溶出する工程と、
不純物イオン除去装置９において前記分離カラムからの溶出液中に含まれる前記検出対象イオンの陰イオンとは逆の電荷を持つ陽イオンを実質的に除去する工程と
検出器１１により前記陽オンを実質的に除去した溶出液のインピーダンスを非接触的に測定して前記検出対象イオンの陰イオンを検出する工程と、
を含むイオン分析システムである。
【００３７】
このイオン分析方法では、上記電解質溶液生成装置１と電解質溶液精製装置２、電解質溶液生成装置用制御装置６、不純物イオン除去装置９の組み合わせによって、不純物陰イオン等の除去によるベースラインの安定化、保持時間のより高い再現性、より低い検出バックグラウンド、及び、より低い検出限界でのイオン分析が実現するとともに、検出器１１として高インピーダンス溶液用非接触型インピーダンスモニターを用いた高感度かつ信頼性の高い測定が可能になる。
その結果、イオン分析システムの性能を従来技術に比べて顕著に高めることができる。イオン分析システムは、極めて低濃度の検出対象イオン（例えば、５０００ｐｐｂ以下）を含むサンプルの分析に適しており、かかる低濃度領域でのイオン分析において、高感度の測定を安定的に実施可能にするものである。
【００３８】
＜陽イオン分析システムを使ったイオン分析＞
図７に示す陽イオン分析システムと同じ構成からなる陽イオン分析システム１００においては、少なくとも以下の工程； 
電解質溶液生成装置１により酸性電解質溶液を製造する工程と、
電解質溶液精製装置２において電解質溶液生成装置１により生成した酸性電解質溶液中に含まれる不純物の陽イオンを取り除く工程と、
電解質溶液生成装置用制御装置６において電解質溶液生成装置１により生成した酸性電解質溶液のインピーダンスを所定のインピーダンス値に制御する工程と、
分離カラム７において前記酸性電解質溶液を用いて検出対象イオンを含む試料を分離・溶出する工程と、
不純物イオン除去装置９において前記分離カラムからの溶出液中に含まれる前記検出対象イオンの陽イオンとは逆の電荷を持つ陰イオンを実質的に除去する工程と、
検出器１１により前記陰イオンを実質的に除去した溶出液のインピーダンスを非接触的に測定して前記検出対象イオンの陽イオンを検出する工程と、
を含むイオンの分析システムである。
【００３９】
このイオン分析方法では、上記電解質溶液生成装置１と電解質溶液精製装置２、電解質溶液生成装置用制御装置６、不純物イオン除去装置９の組み合わせによって、不純物陽イオン等の除去によるベースラインの安定化、保持時間のより高い再現性、より低い検出バックグラウンド、及び、より低い検出限界でのイオン分析が実現するとともに、検出器１１として高インピーダンス溶液用非接触型インピーダンスモニターを用いた高感度かつ信頼性の高い測定が可能になる。
その結果、イオン分析システム１００の性能を従来技術に比べて顕著に高めることができる。イオン分析システム１００は、極めて低濃度の検出対象イオン（例えば、５０００ｐｐｂ以下）を含むサンプルの分析に適しており、かかる低濃度領域でのイオン分析において、高感度の測定を安定的に実施可能にするものである。
【実施例１】
【００４０】
本発明の電解質溶液生成装置１によって、所期の電気伝導度の電解質溶液が本体装置にかける電流（直流電源）、又は電圧（一般家庭用交流電源から半波整流）の増減操作によって得られることを確認する。
【００４１】
本発明の塩基性電解質溶液生成装置１ａ（図３）を組み込んだイオンクロマトグラフ（図１）と同様の構成の陰イオン分析システム１００を使用し、当該塩基性電解質溶液生成装置１ａ（図３）にかける電流変化に伴う生成溶液の電気伝導度を測定した。実験では、図１の陰イオン分析システム１００から分離カラム７及び不純物イオン除去装置９を取り外して使用した。電解質溶液生成装置１ａは塩基性電解質溶液生成装置（日理工業製）、電解質溶液精製装置２ａ（図５）は陰イオン除去用不純物イオン除去装置（日理工業製）、ポンプ１４５、１６５、１７５、２４５ａ、２４５ｂはＣＣＰＭ（東ソー社製）、ポンプ３はＤＰ−８０２０（東ソー社製）、インジェクター５はモデル７１２５（ＲＨＥＯＤＹＮＥ社製、２０μＬ）、電気泳動用の直流電源１３３と２３３はＥＸ−３７５Ｕ２（高砂製作所社製）、検出器１１はＣＭ４３２（東ソー社製）を使用した。電解質溶液精製装置２ａは、定電流３０ｍＡ（４０．６Ｖ）とし、電気泳動用電極として白金電極を用い、ポンプ１４５から純水（１．１ｍｌ／ｍｉｎ）、ポンプ１６５、２４５ａ、２４５ｂから純水（１．０ｍｌ／ｍｉｎ）及びポンプ１７５から１００ｍＭのＮａ２ＳＯ４（０．２５ｍｌ／ｍｉｎ）を供給し、ポンプ３の流量は０．７５ｍｌ／ｍｉｎとした。その結果を図１９に示した。なお、図１９の符号１〜１０の区分は、１：０ｍＡ（０Ｖ）、２：定電流５ｍＡ（４２．８Ｖ）、３：定電流１０ｍＡ（５７．７Ｖ）、４：定電流１５ｍＡ（６５．８Ｖ）、５：定電流２０ｍＡ（７０．８Ｖ）、６：定電流２５ｍＡ（７５．３Ｖ）、７：定電流３０ｍＡ（７８．３Ｖ）、８：定電流３５ｍＡ（８１．２Ｖ）及び９：定電流４０ｍＡ（８９．６Ｖ）とした。
【００４２】
図１４から、電流が高くなるに従い、生成した電解質溶液の電気伝導度が高くなることが確認された。このように電流値を変化させる簡単な操作で、所望の電気伝導度の電解質溶液を製造することができた。
【００４３】
次いで、図２と同様の構成の電解質溶液生成装置１を使用し、電解質溶液精製装置２に図４と同様の構成の電解質溶液生成装置２を使用し、電流源として交流電源を使用したときの、生成電解液の電気伝導度変化について調べた。
ポンプ１４５と１６５と１７５と２４５ａと２４５ｂはＣＣＰＭ（東ソー社製）、電気泳動用の直流電源２３３はＥＸ−３７５Ｕ２（高砂製作所社製）、交流電源１３３は家庭用電源（変圧器により電圧を調整し、ダイオードにより半波整流を行った）、検出器１１は電気伝導度検出器ＣＭ４３２(日理工業製)を使用した。交流電源１３３は、０、２０、４０、６０Ｖ（０〜ＰＥＥＫ）とし、電解質溶液精製装置２は、定電流３０ｍＡ（４１．２Ｖ）とし、電気泳動用電極として白金電極を用い、ポンプ１４５から純水（１．１ｍｌ／ｍｉｎ）、ポンプ１６５、２４５ａ、２４５ｂから純水（１．０ｍｌ／ｍｉｎ）及びポンプ１７５から１００ｍＭのＮａ２ＳＯ４（０．５ｍｌ／ｍｉｎ）をそれぞれ供給し、ポンプ３の流量は０．７５ｍｌ／ｍｉｎとした。電解質溶液生成装置により生成した電解液の電気伝導度変化を図１５に示した。
図１５の結果から、印加電圧が高くなるにつれ生成電解液の電気伝導度が高くなることが確認できた。
【実施例２】
【００４４】
図１と同様の構成の陰イオン分析システム１００を使用し、電解質溶液生成装置１に図３と同様の構成の電解質溶液生成装置１ａを使用し、電解質溶液精製装置２に図５と同様の構成の陰イオン除去用不純物イオン除去装置２ａを使用し、不純物イオン除去装置９に図６と同様の構成の陽イオン除去用不純物イオン除去装置９を使用し、標準アニオンのイオン分析を実施した。
【００４５】
電解質溶液生成装置１ａは塩基性電解質溶液生成装置（日理工業製）、電解質溶液精製装置２ａは陰イオン除去用不純物イオン除去装置（日理工業製）、不純物イオン除去装置９は陽イオン除去用不純物イオン除去装置（日理工業製）、ポンプ４７ａと４７ｂと１４５と１６５と１７５と２４５ａと２４５ｂはＣＣＰＭ（東ソー社製）、ポンプ３はＤＰ−８０２０（東ソー社製）、インジェクター５はモデル７１２５（ＲＨＥＯＤＹＮＥ社製、２０μＬ）、電気泳動用の直流電源３３と１３３と２３３はＥＸ−３７５Ｕ２（高砂製作所社製）、分離カラム７はＴＳＫｇｅｌ  ｓｕｐｅｒＩＣ  Ａｎｉｏｎ  ＡＺ（東ソー製）、検出器１１は高インピーダンス溶液用非接触型インピーダンスモニター(日理工業製)を使用した。電解質溶液生成装置１ａは、定電流２０ｍＡ（約８５．６Ｖ、約２０６５μＳ／ｃｍのＮａＯＨ溶液）とし、電解質溶液精製装置２ａは、定電流３０ｍＡ（４０．２Ｖ）とし、不純物イオン除去装置９は、定電流４０ｍＡ（約５５Ｖ）とし、電気泳動用電極として白金電極を用い、ポンプ１４５から純水（１．１ｍｌ／ｍｉｎ）、ポンプ４５ａ、４５ｂ、１６５、２４５ａ、２４５ｂから純水（１．０ｍｌ／ｍｉｎ）及びポンプ１７５から１００ｍＭのＮａ２ＳＯ４（０．２５ｍｌ／ｍｉｎ）をそれぞれ供給し、ポンプ３の流量は０．７５ｍｌ／ｍｉｎとした。サンプル濃度は、Ｆ−イオン；５ｐｐｂ、Ｃｌ−イオン；１０ｐｐｂ、ＮＯ２−イオン；１５ｐｐｂ、Ｂｒ−イオン；１０ｐｐｂ、ＮＯ３−イオン；３０ｐｐｂ、ＳＯ４２−イオン；４０ｐｐｂ、ＰＯ４３−イオン；３０ｐｐｂであった。測定結果を図１６に示した。
【００４６】
図１６のチャート中、１のピークはＦ−イオン、２のピークはＣｌ−イオン、３のピークはＮＯ２−イオン、４のピークはＢｒ−イオン、５のピークはＮＯ３−イオン、６のピークは未知のＣＯ３−イオン及びＳＯ４２−イオン、７のピークはＰＯ４３−イオンである。この結果から、炭酸イオンと硫酸イオンのピークが重なっている以外は、各イオンを完全に分離・検出することが確認できた。
【実施例３】
【００４７】
図７と同様の構成の陽イオン分析システム１００を使用し、電解質溶液生成装置１に図８と同様の構成の電解質溶液生成装置１bを使用し、電解質溶液精製装置２に図９と同様の構成の陽イオン除去用不純物イオン除去装置２ｂを使用し、不純物イオン除去装置９に図１０と同様の構成の陰イオン除去不純物イオン除去装置９ａを使用し、標準カチオンのイオン分析を実施した。
【００４８】
電解質溶液生成装置１bは酸性電解質溶液生成装置（日理工業製）、電解質溶液精製装置２ｂは陽イオン除去用不純物イオン除去装置（日理工業製）、不純物イオン除去装置９ａは陰イオン除去用不純物イオン除去装置（日理工業製）、ポンプ４７ａと４７ｂと１４５と１６５と１７５と２４５ａと２４５ｂはＣＣＰＭ（東ソー社製）、ポンプ３はＤＰ−８０２０（東ソー社製）、インジェクターはモデル７１２５（ＲＨＥＯＤＹＮＥ社製、２０μＬ）、電気泳動用の直流電源３３と１３３と２３３はＥＸ−３７５Ｕ２（高砂製作所社製）、分離カラム７はＴＳＫｇｅｌ  ｓｕｐｅｒＩＣ−ＣＲ（東ソー製）、検出器１１は高インピーダンス溶液用非接触型インピーダンスモニター(日理工業製)を使用した。電解質溶液生成装置１bは、定電流３．５ｍＡ（約２０Ｖ、約６００μＳ／ｃｍのＨＮＯ３溶液）とし、電解質溶液精製装置２ｂは、定電流４０ｍＡ（約４５．４Ｖ）とし、不純物イオン除去装置９ａは、定電流３０ｍＡ（約６１．６Ｖ）とし、電気泳動用電極として白金電極を用い、ポンプ１４５から純水（１．１ｍｌ／ｍｉｎ）、ポンプ４５ａ、４５ｂ、１６５、２４５ａ、２４５ｂから純水（１．０ｍｌ／ｍｉｎ）及びポンプ１７５から１００ｍＭのＮａＮＯ３（０．２５ｍｌ／ｍｉｎ）をそれぞれ供給し、ポンプ３の流量は０．７５ｍｌ／ｍｉｎとした。サンプル濃度は、Ｌｉ＋イオン；５ｐｐｂ、Ｎａ＋イオン；２０ｐｐｂ、ＮＨ３＋イオン；２０ｐｐｂ、Ｋ＋イオン；５０ｐｐｂ、Ｃａ２＋イオン；５０ｐｐｂ、Ｍｇ２＋イオン；５０ｐｐｂであった。測定結果を図１７に示した。
【００４９】
図１７のチャート中、１のピークはＬｉ＋イオン、２のピークはＮａ＋イオン、３のピークはＮＨ３＋イオン、４のピークはＫ＋イオン、５のピークはＣａ２＋イオン、６のピークはＭｇ２＋イオンである。この結果から、標準カチオンについても各イオンを完全に分離・検出することが確認できた。
【産業上の利用可能性】
【００５０】
本発明はイオン分析装置であり、食品、医薬、環境、化学、機械、電気等の多くの分野における化学分析に好適に用いられるものである。
【符号の説明】
【００５１】
１        電解質溶液生成装置
１ａ      電解質溶液生成装置
１ｂ      電解質溶液生成装置
２        電解質溶液精製装置
２ａ      電解質溶液精製装置
２ｂ      電解質溶液精製装置
３        ポンプ
４        データ処理装置
５        インジェクターポート
６        電解質溶液生成装置用制御装置
７        分離カラム
９        不純物イオン除去装置
９ａ      不純物イオン除去装置
９ｂ      不純物イオン除去装置
１１      高インピーダンス溶液用非接触型インピーダンスモニター
１３      配管
２１      容器
２１ａ    溶液入口
２１ｂ    純水入口
２１ｃ    純水入口
２２ａ    溶液出口
２２ｂ    溶液出口
２２ｃ    溶液出口
２３      イオン交換体
２５Ａ    イオン交換体
２５Ｂ    イオン交換体
２７ａ    イオン交換膜
２７ｂ    イオン交換膜
２８ａ    液体透過性を付与したイオン交換膜
２８ｂ    液体透過性を付与したイオン交換膜
３１ａ    電極
３１ｂ    電極
３３      電源
４１ａ    純水供給装置
４１ｂ    純水供給装置
４５ａ    純水貯槽
４５ｂ    純水貯槽
４７ａ    ポンプ
４７ｂ    ポンプ
４９ａ    配管
４９ｂ    配管
５１      第１の領域
５２      第２の領域
５３      第３の領域
【００５２】
１２２    酸又は塩基生成部
１２３    容器
１２３ａ  第１の入口
１２３ｂ  第１の出口
１２３ｃ  第２の入口
１２３ｄ  第２の出口
１２３ｅ  第３の入口
１２３ｆ  第１の出口
１２４    気泡排出部
１２５ａ  イオン交換膜積層
１２５Ｂ  イオン交換樹脂層
１２５Ｄ  イオン交換樹脂層
１２７ａ  イオン交換膜
１２７ｂ  イオン交換膜
１２７ｃ  液体透過性を付与したイオン交換膜
１２７ｄ  液体透過性を付与したイオン交換膜
１３３    外部電流源
１４１    純水供給部
１４３    純水貯留部
１４５    ポンプ
１４７    配管
１５１ａ  センサー電極
１５１ｂ  センサー電極
１５２    バリアー電極
１５３ａ  増幅器
１５３ｂ  増幅器
１５４    アース
１５５    機能発生器
１５７    整流器
１６０    配管
１６１    純水供給部
１６３    純水貯留部
１６５    ポンプ
１６７    配管
１７１    電解質溶液供給部
１７３    電解質溶液貯留部
１７５    ポンプ
１７７    配管
【００５３】
２２１      容器
２２１ａ    溶液入口
２２１ｂ    純水入口
２２１ｃ    純水入口
２２２ａ    溶液出口
２２２ｂ    溶液出口
２２２ｃ    溶液出口
２２３      イオン交換体
２２５Ａ    イオン交換体
２２５Ｂ    イオン交換体
２２７ａ    イオン交換膜
２２７ｂ    イオン交換膜
２２８ａ    液体透過性を付与したイオン交換膜
２２８ｂ    液体透過性を付与したイオン交換膜
２３１ａ    電極
２３１ｂ    電極
２３３      電源
２４１ａ    純水供給装置
２４１ｂ    純水供給装置
２４５ａ    純水貯槽
２４５ｂ    純水貯槽
２４７ａ    ポンプ
２４７ｂ    ポンプ
２４９ａ    配管
２４９ｂ    配管
２５１      第１の領域
２５２      第２の領域
２５３      第３の領域
【図１】
0005576774.tif 000002
【図２】
0005576774.tif 000003
【図３】
0005576774.tif 000004
【図４】
0005576774.tif 000005
【図５】
0005576774.tif 000006
【図６】
0005576774.tif 000007
【図７】
0005576774.tif 000008
【図８】
0005576774.tif 000009
【図９】
0005576774.tif 000010
【図１０】
0005576774.tif 000011
【図１１】
0005576774.tif 000012
【図１２】
0005576774.tif 000013
【図１３】
0005576774.tif 000014
【図１４】
0005576774.tif 000015
【図１５】
0005576774.tif 000016
【図１６】
0005576774.tif 000017
【図１７】
0005576774.tif 000018